(57)【特許請求の範囲】
【請求項１】
監視センタへのアクセス情報と機種情報とを含む二次元コードが設けられた乗りかごと、
上記監視センタ内に設けられ、上記乗りかご内の状況確認のためのガイダンス情報が記憶されたガイダンステーブルを有する監視装置とを具備し、
上記ガイダンス情報は、上記乗りかごの機種情報ごとに設けられる複数の項目データが段階的に構成されており、
上記二次元コードは、端末装置を介して読み取られると共に、
上記監視装置は、上記二次元コードに基づくアクセス要求と上記機種情報とに応答して、上記ガイダンステーブルから上記機種情報に対応した上記ガイダンス情報を読み出し、上記乗りかご内の状況に応じて上記各項目データを選択的に上記端末装置に送信することを特徴とするエレベータの遠隔監視システム。
【請求項２】
上記端末装置は、
上記読取り機能によって読み取られた上記二次元コードを復号化する復号化手段と、
この復号化手段によって得られた上記アクセス情報に基づいて、上記監視センタに対するアクセス要求を上記端末装置の識別情報と共に送出するアクセス手段とを備え、
上記監視装置は、
上記端末装置からのアクセス要求に応答して、上記端末装置の識別情報に基づいて要求元を特定する要求元特定手段と、
この要求元特定手段によって特定された上記端末装置に対し、上記乗りかご内の状況確認のためのガイダンス情報を質問形式化した画面データを送信する送信手段と、
この送信手段によって送信された画面データに対する上記端末装置からの返答に応じて所定の処理を実行する処理実行手段とを備えたことを特徴とする請求項１記載のエレベータの遠隔監視システム。
【請求項３】
上記二次元コードには、上記乗りかごを特定する機種情報が含まれ、
上記送信手段は、上記二次元コードの読取りに伴い、上記端末装置から送られてくる上記機種情報に基づいて、上記乗りかごに対応したガイダンス情報を質問形式化した画面データを送信することを特徴とする請求項２記載のエレベータの遠隔監視システム。
【請求項４】
上記画面データには、故障連絡事項として閉じ込め事故の有無を問うための項目が含まれていることを特徴とする請求項２記載のエレベータの遠隔監視システム。
【請求項５】
エレベータの状況を遠隔監視する監視センタへのアクセス情報と機種情報とを含む二次元コードを乗りかご内に設け、
上記監視センタに設けられた監視装置に上記乗りかごの機種情報ごとに設けられる上記乗りかご内の状況確認のためのガイダンス情報が記憶されたガイダンステーブルを備え、
上記ガイダンス情報は、複数の項目データが段階的に構成されており、
上記二次元コードが端末装置を介して読み取られたときに、
上記監視装置は、上記二次元コードに基づくアクセス要求と上記機種情報とに応答して、上記ガイダンステーブルから上記機種情報に対応した上記ガイダンス情報を読み出し、上記乗りかご内の状況に応じて上記各項目データを選択的に上記端末装置に送信することを特徴とする遠隔監視方法。
【請求項６】
上記端末装置からのアクセス要求に応答して、上記端末装置からのアクセス要求と共に送られてくる識別情報に基づいて要求元を特定し、
上記端末装置に対し、上記乗りかご内の状況確認のためのガイダンス情報を質問形式化した画面データを送信し、
上記画面データに対する上記端末装置からの返答に応じて所定の処理を実行することを特徴とする請求項５記載のエレベータの遠隔監視方法。
【請求項７】
上記二次元コードには、上記乗りかごを特定する機種情報が含まれ、
上記二次元コードの読取りに伴い、上記端末装置から送られてくる上記機種情報に基づいて、上記乗りかごに対応したガイダンス情報を質問形式化した画面データを送信することを特徴とする請求項６記載のエレベータの遠隔監視方法。
【請求項８】
上記画面データには、故障連絡事項として閉じ込め事故の有無を問うための項目が含まれていることを特徴とする請求項６記載のエレベータの遠隔監視方法。
【発明の詳細な説明】
【技術分野】
【０００１】
本発明は、各地に点在するエレベータの状況を遠隔的に集中管理するエレベータの遠隔監視システムに係り、特に、地震等の広域災害による乗りかご内の乗客の救出活動に有効なエレベータの遠隔監視システム及びエレベータの遠隔監視方法に関する。
【背景技術】
【０００２】
例えば、オフィスビル、マンションビルなどの建物の高層化に伴い、エレベータの需要が高まる状況の中、地震等の広域災害やエレベータの故障が発生した場合の対策が重要課題として挙がっている。
【０００３】
すなわち、例えば地震等による広域災害などによってエレベータの運転が非常停止した場合には、安全のために乗りかごのドアがロックされ、外部からリセットを掛けない限り戸開することはできない。その際、乗りかご内に乗客がいると、エレベータが復旧するまでの間、その中に閉じ込められてしまうことになる。これを、通常、「閉じ込め事故」と呼んでいる。
【０００４】
このような場合、一般的には、乗りかご内に設置された非常呼出しボタンを押下操作することで外部と連絡を取ることができる。具体的には、上記非常呼出しボタンの押下に伴い、機械室の制御盤を介して乗りかごと監視センタとの間の回線が接続される。これにより、乗りかご内のインターフォンなどを通じて監視センタの保守員に状況を説明して救出を待つことになる。
【発明の開示】
【発明が解決しようとする課題】
【０００５】
しかしながら、地震のような広域災害が発生すると、一般の電話回線は輻輳状態となっり、さらに、回線の遮断などにより監視センタへの連絡が非常に困難な状況になる。そのため、監視センタ側では、どの物件で閉じ込め事故が発生しているのか、かご室内がどのような状況にあるのかなどを把握できず、乗客への救出活動に遅れが生じるといった問題がある。
【０００６】
本発明は上記のような点に鑑みなされたもので、非常事態が発生した場合に乗りかご内から監視センタへの連絡手段を確保し、乗りかご内の状況に応じた適切な対応を迅速に取ることのできるエレベータの遠隔監視システム及びエレベータの遠隔監視方法を提供することを目的とする。
【課題を解決するための手段】
【０００７】
本発明のエレベータの遠隔監視システムは、監視センタへのアクセス情報と機種情報とを含む二次元コードが設けられた乗りかごと、上記監視センタ内に設けられ、上記乗りかご内の状況確認のためのガイダンス情報が記憶されたガイダンステーブルを有する監視装置とを具備し、上記ガイダンス情報は、上記乗りかごの機種情報ごとに設けられる複数の項目データが段階的に構成されており、上記二次元コードは、端末装置を介して読み取られると共に、上記監視装置は、上記二次元コードに基づくアクセス要求と上記機種情報とに応答して、上記ガイダンステーブルから上記機種情報に対応した上記ガイダンス情報を読み出し、上記乗りかご内の状況に応じて上記各項目データを選択的に上記端末装置に送信する。
【０００８】
このような構成によれば、乗りかご内に設けられた二次元コードに基づいて監視センタにアクセス要求が出され、そのアクセス要求に応答して監視センサから状況確認のためのガイダンス情報が送られてくる。これにより、乗りかご内の乗客はそのガイダンス情報に従って状況を説明し、監視センタ側では、その返答に応じて適切な処理を行うことができる。
【発明の効果】
【０００９】
本発明によれば、乗りかご内に設けられた二次元コードを利用して監視センタに状況を説明することができ、監視センタ側では、その乗りかご内の状況に応じた適切な対応を迅速に取ることができる。
【発明を実施するための最良の形態】
【００１０】
以下、図面を参照して本発明の実施形態を説明する。
【００１１】
図１は本発明の一実施形態に係るエレベータの構成例を示す図であり、３台のエレベータが並設された例が示されている。
【００１２】
図中の１はオフィスビルやマンションビルなどの建物である。この建物１には１号機〜３号機のエレベータ昇降路２ａ〜２ｃが設けられており、昇降路２ａには１号機の乗りかご３ａ、昇降路２ｂには２号機の乗りかご３ｂ、昇降路２ｃには３号機の乗りかご３ｃがそれぞれ独立して昇降動作する。乗客は、これらの乗りかご３ａ〜３ｃのいずれかに乗って建物１内の各階床間を自由に移動することができる。
【００１３】
ここで、乗りかご３ａを代表して、本発明のエレベータ遠隔監視システムについて説明する。
【００１４】
図２はエレベータ遠隔監視システムの構成例を示す図である。図中の３１は乗りかご３ａのドアであり、そのかごドア３１の近傍に操作盤３２が配設されている。
【００１５】
操作盤３２には、例えば各階の行き先ボタンや戸開ボタン、戸閉ボタンなどを含む各種操作ボタンが設けられている。また、この操作盤３２の下側には、二次元コードが印刷されたコードシール３３が貼り付けられている。
【００１６】
図３はコードシール３３に印刷された二次元コードの一例を示す図である。
【００１７】
二次元コードはマトリックス状に形成され、“０”および“１”のいずれかに数値化した情報のそれぞれの数値が二次元コードの各ドットの濃淡（白または黒）に対応づけられたものである。二次元コードは縦方向および横方向の情報を持つので、例えば商品管理などに用いられる線状バーコード（一次元コード）と比較して記録できる情報量が格段に多い。このような二次元コードとしては、例えばＱＲコード（登録商標）などが広く知られている。
【００１８】
ここで、本システムでは、この二次元コードを緊急連絡手段として用いることを特徴としている。すなわち、例えば地震等の広域災害が発生し、乗りかご３ａ内に乗客が閉じ込められた場合において、その乗客が外部に連絡を取る手段として二次元コードを用いる。この二次元コードには、監視センタ６を緊急連絡先とした情報（アクセス情報）が記述されている。詳しくは、監視センタ６が提供している連絡サイトにアクセスするためのＵＲＬ（Uniform Resource Locator）がコードシール３３上に二次元コード化されて印刷されている。
【００１９】
また、このコードシール３３には、エレベータが設置された建物の名前（物件名）やその建物の住所、さらに、エレベータ（乗りかご）の号機種類を示す機種情報などが付属情報として付加されている。なお、これらの二次元コード化された情報が例えば文字情報などにより視認可能な状態で二次元コードに隣接して印刷されていても良い。
【００２０】
図３に示すように、コードシール３３は矩形状をなし、その裏面に形成された図示せぬ接着層を介して乗りかご３ａ内に貼り付けられる。具体的には、図２に示すように、乗りかご３ａ内の操作盤３２の下側付近に貼り付けられる。これは、あまり目立つ場所にコードシール３３を貼り付けておくと、本来の目的とは異なる用途で使われることや、剥がされたり、汚されたりする可能性があるからである。したがって、このような行為を防止する意味では、例えば操作盤３２の下側などのように、普段は乗客が目を向けない場所であり、しかも、非常事態が発生した場合に直ぐに手の届く場所（携帯電話をかざすことができる場所）にコードシール３３を貼り付けておくことが好ましい。
【００２１】
また、停電によりかご室内が暗いなることを考慮して非常灯の近くにコードシール３３を設けておくことでも良い。さらに、乗りかご３ａ内の複数の箇所にコードシール３３を設けておくことでも良い。
【００２２】
乗りかご３ａ内の乗客は、端末装置（例えば携帯電話）を用いてコードシール３３上の二次元コードを読み取ることで、外部つまり監視センタ６と連絡を取ることができる。端末装置４は、乗客が持ち歩いている一般的な携帯用の電話機器であり、二次元コードの読取り機能を備えている。
【００２３】
なお、本システムに用いられる端末装置４としては、携帯電話に限らず、二次元コードの読取り機能を備えた通信端末機器であれば、例えばＰＤＡ（Personal Digital Assistant）などであっても良い。
【００２４】
また、乗りかご３ａだけでなく、他の乗りかご３ｂ，３ｃについても同様である。すなわち、それぞれのかご室内にはコードシール３３が設けられており、乗客はこのコードシール３３上の二次元コードを端末装置４などで読み取ることで、監視センタ６と連絡を取ることができる。
【００２５】
一方、監視センタ６は、各地に点在するエレベータの状況を遠隔監視しているところであり、そこには多数の保守員が常時待機している。この監視センタ６は、公衆回線等を利用し、各物件毎にエレベータを集中管理する監視装置５を備え、オペレータにより各種指示が行なわれる。なお、監視装置５は、所定のプログラム演算を行うコンピュータからなり、入力装置、表示装置、記憶装置などを備えて、エレベータの遠隔監視に関わる各種処理を実行する。特に、本システムにあっては、上記二次元コードの読取りにより端末装置４からアクセス要求があったときに、監視装置５では、そのアクセス要求に応答して状況確認と救出活動に関する処理を実行する。
【００２６】
図４は同実施形態におけるエレベータ監視システムに用いられる端末装置４の内部回路の構成例を示すブロック図である。なお、音声通話に関する回路の構成については説明を省略する。
【００２７】
図４に示すように、端末装置４は、制御部４１、記憶部４２、通信インタフェース４３、アンテナ４４、入力部４５、表示部４６および撮影装置４７を備える。制御部１１は記憶部４２、入力部４５、表示部４６および撮影装置４７と接続される。制御部４１は通信インタフェース４３を介してアンテナ４４と接続される。
【００２８】
制御部４１は、端末装置４の全体の制御を司るＣＰＵからなる。この制御部４１は、記憶部４２に記憶されたプログラムを読み込むことで、そのプログラムに記述された手順に従って各種処理を実行する。
【００２９】
記憶部４２は、例えばＲＯＭ、ＲＡＭなどからなり、プログラムを含む各種データが記憶される。この記憶部４２には、端末装置４に固有に割り付けられた識別番号の他、電話番号、メールアドレスなどが記憶されている。
【００３０】
通信インタフェース４３は、所定の通信プロトコルに従ってアンテナ４４を介して無線電波を送受信することで、監視センタ６内の監視装置５を含む外部装置との間の無線通信を実現する。
【００３１】
入力部４５は、複数の操作ボタンなどからなり、例えば電話電号、メールアドレスなどの入力操作の他、二次元コードの読込み指示を含む各種指示操作を行うためのユーザインタフェースとして用いられる。表示部４６は、例えば液晶ディスプレイ装置からなり、画面上に各種データの表示を行う。
【００３２】
撮影装置４７は、端末装置４に備えられたカメラ機能として一般的に使用される他に、ここでは、図３に示した二次元コードの読取り手段として利用される。すなわち、この撮影装置４７の光学撮像系を二次元コードシール３３に向けた状態で、入力部４５を通じて所定の操作を行うことで二次元コードを撮影し、その撮影によって得られた画像データを制御部４１に出力する。制御部４１には、二次元コードを復号化するためのアプリケーションソフトが予め搭載されている。制御部４１は、上記撮影装置４７を通じて入力された二次元コードの画像データを復号処理し、その二次元コードに含まれた緊急連先情報に基づいてエレベータの監視センタ６にアクセスする。
【００３３】
図５は同実施形態におけるエレベータ監視システムに用いられる監視センタ６内の監視装置５の内部回路の構成例を示すブロック図である。
【００３４】
図５に示すように、監視装置５は、制御部５１、記憶部５２、通信インタフェース５３、アンテナ５４、入力部５５および表示部５６を備える。制御部５１は記憶部５２、入力部５５および表示部５６と接続される。制御部５１は通信インタフェース５３を介してアンテナ５４と接続される。
【００３５】
制御部５１は、監視装置５の全体の制御を司るＣＰＵからなる。この制御部５１は、記憶部５２に記憶されたプログラムを読み込むことで、そのプログラムに記述された手順に従って各種処理を実行する。
【００３６】
記憶部５２は、例えばＲＯＭ、ＲＡＭなどからなり、プログラムを含む各種データが記憶される。また、この記憶部５２には、物件管理テーブルＴ１（図６参照）とガイダンステーブルＴ２（図７参照）が設けられている。
【００３７】
通信インタフェース５３は、所定の通信プロトコルに従ってアンテナ５４を介して無線電波を送受信することで、端末装置４を含む外部装置との間で無線通信を実現する。
【００３８】
入力部５５は、監視センタ６内のオペレータの入力操作手段として用いられるものであり、例えばキーボードからなる。表示部５６は、監視用のモニタ画面として用いられものであり、画面上にエレベータ監視に関わる各種データの表示を行う。
【００３９】
図６は上記監視装置５の記憶部５２に設けられた物件管理テーブルＴ１の一例を示す図である。
【００４０】
図６に示すように、物件管理テーブルＴ１には、保守管理対象として登録された各エレベータの物件毎に、設置建物の住所と、その建物に設置されたエレベータ（乗りかご）の号機種類を示す機種情報が記憶されている。図６の例では、エレベータ号機の種類として、機種Ａ〜Ｃの３タイプが示されている。
【００４１】
図７は上記監視装置５の記憶部５２に設けられたガイダンステーブルＴ２の一例を示す図である。
【００４２】
ガイダンステーブルＴ２には、エレベータ号機種類に対応したガイダンス情報が記憶されている。このガイダンス情報は、かご室内の状況確認を行うための複数の項目データが段階的に構成されており、端末装置４からアクセス要求があったときに、質問形式で選択的に送信される。また、このガイダンス情報の内容は、それぞれのエレベータによって異なり、図７の例では、機種Ａ〜Ｃのそれぞれに対応したガイダンスＡ〜Ｃの情報が記憶されていることが示されている。
【００４３】
次に、本システムの動作について説明する。
【００４４】
図８は本システムの動作を示すフローチャートであり、端末装置４側の処理と監視装置５側の処理の流れが示されている。なお、端末装置４側の処理については、端末装置４に搭載されたマイクロコンピュータである制御部４１が所定のプログラムを読み込むことにより実行され、監視装置５側の処理については、監視装置５に搭載されたマイクロコンピュータである制御部５１が所定のプログラムを読み込むことにより実行される。
【００４５】
今、例えば地震等の広域災害により乗りかご３ａ内に乗客が閉じ込められたものとする。乗りかご３ａ内には、図２に示したようにコードシール３３が貼り付けられている。このコードシール３３上の二次元コードを乗客の端末装置４に備えられた撮像機能を利用して読み取ると（ステップＡ１１）、上記二次元コードがデコード処理され（ステップＡ１２）、そのデコード処理にて得られた緊急連絡先情報（アクセス情報）に基づいて、監視センタ６内の監視装置５に対する接続処理が実行される（ステップＡ１３）。
【００４６】
詳しくは、上記緊急連絡先情報として、監視センタ６が提供している連絡サイトのＵＲＬが二次元コードでコードシール３３上に予め印刷されている。この二次元コードを端末装置４で読み取ると、端末装置４から上記ＵＲＬに従って連絡サイトにアクセス要求が出される。
【００４７】
その際、例えば図９に示すようなアクセス要求画面７１を表示し、そのアクセス要求画面７１に設けられたＩＤ入力欄７２に所定のＩＤ番号を入力させることで、目的以外のアクセスを防止するようにしても良い。ただし、このようなＩＤ番号を求めるアクセス要求画面７１は必ずしも不要不可欠という訳ではなく、端末装置４で二次元コードを読み取るだけで、直ぐに連絡サイトつまり監視センタ６に繋がるような仕組みであっても良い。
【００４８】
監視センタ６内の監視装置５側では、端末装置４からアクセス要求があると（ステップＢ１１のＹＥＳ）、まず、上記アクセス要求と共に端末装置４から送出される識別情報（例えば端末装置の電話番号やメールアドレス）に基づいて、当該端末装置４を要求元として特定し（ステップＢ１２）、かご室内の状況確認のためのガイダンス情報を送信する（ステップＢ１３）。
【００４９】
詳しくは、上記ステップＡ１１にて端末装置４が読み取った二次元コードには、建物１の名前、住所の他に乗りかご３ａの機種を示す情報が含まれている。監視装置５側では、これらの情報を端末装置４から取得することにより、物件管理テーブルＴ１を検索して非常事態にあるエレベータ物件を判別して特定し、そのエレベータの乗りかご３ａの機種に対応したガイダンス情報をガイダンステーブルＴ２から読み出して、これを質問形式化した第１の画面データを送信する。
【００５０】
なお、図９の例のように、アクセス要求に際し、所定のＩＤ番号を求める方式では、そのＩＤ番号を用いた照合処理によって正規の利用者からのアクセス要求であることが判明した場合にのみ応答することになる。
【００５１】
端末装置４では、監視装置５から送られた第１の画面データを受信することにより（ステップＡ１４）、図１０に示すような初期メニュー画面８１を表示する（ステップＡ１５）。
【００５２】
この初期メニュー画面８１には、建物名称、エレベータ号機などの情報を含む物件項目８２、連絡サイトへアクセスした日付、ログイン時間などの情報を含むアクセス項目８３に加え、故障連絡事項８４が設けられている。この故障連絡事項８４は、乗客の選択操作によりかご室内の状況を質問形式で連絡するための項目であって、閉じ込め事故の有無を確認するための項目や、閉じ込め以外の故障確認を行うための項目などを有する。
【００５３】
ここで、乗客が端末装置４の入力部４５を通じて上記故障連絡事項８４の項目選択操作を行うと（ステップＡ１６のＹＥＳ）、その選択された項目データが監視装置５に返信される（ステップＡ１７）。監視装置５では、この項目データを受信することにより（ステップＢ１４のＹＥＳ）、まず、閉じ込め事故であるか否かを判断する（ステップＢ１５）。閉じ込め事故であると判断した場合には（ステップＢ１５のＹＥＳ）、監視装置５は、直ちに救出処理を実行する（ステップＢ１６）。
【００５４】
上記救出処理としては、（ａ）監視センタ６内で閉じ込め事故が発生した旨の警告をランプ表示等により出力してオペレータを呼び出す、（ｂ）当該物件の近くを巡回している保守員を検索して、その保守員に救出指示を出す、（ｃ）乗りかご３ａのドアロックを解除するためのリセット信号を出力するなどがある。
【００５５】
なお、上記（ｂ）において、当該物件の近くを巡回中の保守員を検索する方法としては、例えば各保守員にＧＰＳ（Global Positioning System）機能付きの端末装置を持たせておき、その端末装置から得られる現在位置と上記二次元コードの読取りによって得られる物件の住所との比較により行う方法などがある。
【００５６】
また、閉じ込め事故であった場合に、例えば「直ぐに救出に向かいますので、そのままお待ち下さい」といったようなメッセージを端末装置４に送るようにしても良い。
【００５７】
一方、閉じ込め事故以外であった場合には（ステップＢ１５のＮＯ）、監視装置５では、さらに詳しい状況を確認するためのガイダンス情報をガイダンステーブルＴ２から読み出し、これを質問形式化した第２の画面データを端末装置４に送信する（ステップＢ１７）。この第２の画面データは端末装置４にて受信、表示される（ステップＡ１８，Ａ１９）。乗客は、この第２の画面データの各項目の問いに答えるような形で項目選択操作を行うことで、監視センタ６に状況を詳しく知らせることができる。
【００５８】
具体的には、上記第２の画面データとして、以下のような項目を有する画面データが送られてくる。
【００５９】
「１．ドアの故障ですか？」  
「２．照明の故障ですか？」  
「３．騒音がしますか？」  
「４．その他」
監視センタ６側の監視装置５では、このような項目に対する乗客の応答に対し、例えば「戸開ボタンを押して外に出て下さい」といったような指示を送るか、あるいは、さらに、詳しい状況を確認するための画面データを送る。なお、このような対応を行った後は、保守員を現場に派遣して、故障復旧作業を行うことになる。
【００６０】
このように、エレベータの乗りかご内に設けられた二次元コードに監視センタへの連先情報を含ませておくことで、何らかの原因で乗りかごに異常が生じた場合に、乗客は携帯電話等の端末装置でその二次元コードを読み取るだけで監視センタに接続して状況を知らせることができる。この場合、監視センタでは、質問形式で状況の確認を行うため、乗客は、特にエレベータ故障に関する知識がなくとも、それに答えるといった形で現在の状況を簡潔に伝えることができる。これにより、例えば地震等の広域災害によって一般回線が不通となり、会話による状況説明が困難な状況下にあっても、監視センタ側では、乗りかごの状況を正確に把握して適切な対応を取ることができ、特に閉じ込め事故が発生した場合には迅速な救出活動を行うことができる。
【００６１】
なお、二次元コードは上述したＱＲコード（登録商標）であっても良いし、PDF417，Maxi Code，Data Matrix，Veri Code，Code49，Code1，Aztec Code，RSS(Reads reduced Space Symbology)，Super Code（登録商標を含む）などであっても良い。
【００６２】
さらに、この種の二次元コードの読取り機能を備えた端末装置であれば、携帯電話に限らず、他の装置であっても良い。
【００６３】
また、上記実施形態では、監視センタから送られてきた画面に対し、その中の項目を選択するといった方法で状況を知らせる構成としたが、乗客が画面上に文字を入力して現在状況を説明するような構成であっても良い。
【００６４】
要するに、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の形態を形成できる。例えば、実施形態に示される全構成要素から幾つかの構成要素を省略してもよい。さらに、異なる実施形態にわたる構成要素を適宜組み合わせてもよい。
【図面の簡単な説明】
【００６５】
【図１】図１は本発明の一実施形態に係るエレベータの構成例を示す図である。
【図２】図２は同実施形態におけるエレベータ遠隔監視システムの構成例を示す図である。
【図３】図３は同実施形態におけるコードシールに印刷された二次元コードの一例を示す図である。
【図４】図４は同実施形態におけるエレベータ監視システムに用いられる端末装置の内部回路の構成例を示すブロック図である。
【図５】図５は同実施形態におけるエレベータ監視システムに用いられる監視センタ内の監視装置の内部回路の構成例を示すブロック図である。
【図６】図６は同実施形態における監視装置の記憶部に設けられた物件管理テーブルの一例を示す図である。
【図７】図７は同実施形態における監視装置の記憶部に設けられたガイダンステーブルの一例を示す図である。
【図８】図８は同実施形態におけるエレベータ監視システムの動作を示すフローチャートである。
【図９】図９は同実施形態における端末装置に表示されるアクセス要求画面の一例を示す図である。
【図１０】図１０は同実施形態における端末装置に表示される初期メニュー画面の一例を示す図である。
【符号の説明】
【００６６】
１…エレベータ設置ビル、２ａ〜２ｃ…昇降路、３ａ〜３ｃ…乗りかご、３１…かごドア、３２…操作盤、３３…コードシール、４…端末装置、５…監視装置、６…監視センタ、４１…制御部、４２…記憶部、４３…通信インタフェース、４４…アンテナ、４５…入力部、４６…表示部、４７…撮影装置、５１…制御部、５２…記憶部、５３…通信インタフェース、５４…アンテナ、５５…入力部、５６…表示部、Ｔ１…物件管理テーブル、Ｔ２…ガイダンステーブル、７１…アクセス要求画面、７２…ＩＤ入力欄、８１…初期メニュー画面、８２…物件項目、８３…アクセス項目、８４…故障連絡事項。
【図１】
0005230065.tif 000002
【図２】
0005230065.tif 000003
【図３】
0005230065.tif 000004
【図４】
0005230065.tif 000005
【図５】
0005230065.tif 000006
【図６】
0005230065.tif 000007
【図７】
0005230065.tif 000008
【図８】
0005230065.tif 000009
【図９】
0005230065.tif 000010
【図１０】
0005230065.tif 000011